【事件の表示】
　特願２００６−５３８０９９「インクジェット印刷システム」拒絶査定不服審判事件〔平成１７年　５月１９日国際公開、ＷＯ２００５／０４４５７２、平成１９年　４月１９日国内公表、特表２００７−５０９７８２〕について、次のとおり審決する。
【結　論】
　本件審判の請求は、成り立たない。
【理　由】
１　手続の経緯
　本願は、２００４年１０月２０日（パリ条約による優先権主張外国庁受理２００３年１０月３１日、米国）を国際出願日とする出願であって、平成１８年６月２８日付け、平成２０年１１月２１日付け及び平成２１年６月１日付けで手続補正がなされ、平成２１年６月１日付け手続補正が同年１１月１２日付けで補正却下されるとともに同日付けで拒絶査定がなされ、これに対し、平成２２年２月２４日付けで拒絶査定に対する審判請求がなされると同時に手続補正がなされたものである。
　その後、平成２２年７月２７日付けで、審判請求人に前置報告書の内容を示し意見を求めるための審尋を行ったところ、同年１０月２９日に回答書が提出された。
　
２　本願発明
　本願請求項１ないし１０に係る発明は、平成２２年２月２４日付け手続補正後の特許請求の範囲、明細書及び図面の記載からみて、特許請求の範囲の請求項１ないし１０に記載された事項により特定されるとおりのものであり、その請求項１に係る発明（以下「本願発明」という。）は、以下のとおりである。
　
「下部及び前記下部から垂直に延びる垂直壁を有するカートリッジ本体と、
　前記下部に取り付けられるプリントヘッドと、
　前記垂直壁上に配置され、複数の電気接続点の接触領域が列をなすように配置されて成る第１の列アレイの対と複数の前記接触領域が列をなすように配置されて成る第２の列アレイの対とを有する接触アレイであって、前記各対の列アレイは、前記接触アレイが占める領域の高さの少なくとも半分に沿って延びる接触アレイと、
　前記カートリッジ本体を受けて保持するシュートとを備え、
　前記第１の列アレイの対の外側の列アレイと前記第２の列アレイの対の外側の列アレイとの間の幅が前記下部に向かう方向で狭まるように、前記各対の列アレイは、前記下部に向かう方向で互いに向けて接近し、前記各対の前記接触領域は、前記接触アレイの上部よりも、前記下部で少なくなるように位置決めされ、
　前記カートリッジ本体は、前記シュート内に水平に挿入され、
　前記カートリッジ本体は前記シュート内で、前記下部及び前記垂直壁の交線と同じ方向に延びて前記下部に配置される軸を中心として回転されて位置決めされ、
　前記接触アレイと前記シュート内の接触回路の接触バンプとの接触は、前記接触アレイの前記下部から行われ、前記接触アレイの上方に進んでいくことを特徴とするインクジェット印刷システム。」
　
３　引用刊行物
　原査定の拒絶の理由に引用され、本願の優先権主張日前に頒布された国際公開第０３／０３５４００号（以下「刊行物１」という。）には、以下の記載が図とともにある（括弧内の日本語訳は、特表２００５−５３７１４８号公報を参考にした。下線は審決で付した。以下、同様。）。
　ア　[0025] Referring now to FIG. 1, schematically depicted therein is an ink jet printer 114 partially cut away and with its front loading door removed. The printer includes a case or housing 115 and carriage drive motor 116 mounted on a chassis. The motor drives a belt 118 back and forth as the drive motor reverses direction. The drive belt 118 is attached to a print carriage 119 that scans laterally back and forth along a carriage scan axis CA from left to right and right to left. The print carriage 119 contains one or more externally similar thermal ink jet print cartridges 11 located side by side. For example, one print cartridge contains black ink while another has three ink chambers containing magenta, yellow and cyan inks. The horizontal scanning motion of the print carriage 119 is guided by a slider rod 121. Located in the rear of the carriage 119 is an encoder, not shown, that reads a position encoder strip 122 and provides information of the location of the print carriage 119 along the carriage axis CA. 
（ここで図１を参照して、一部を切り欠き前面の搭載ドアを取り除いた状態の
インクジェットプリンタ１１４
　イ　[0026] The print carriage 119 includes a cartridge latching system that consistently and accurately positions the print cartridges 11 relative to an orthogonal coordinate system shown in FIGS. 2 and 10. The X axis is parallel to the carriage scan axis. The Y axis is parallel to and opposite a paper advance path which for example extends horizontally out of the printer 114, such that the X and Y axes define a horizontal plane. The Z axis extends vertically, orthogonal to the XY plane. 
（プリントキャリッジ１１９は、カートリッジラッチシステムを含む。カートリッジラッチシステムは、図２および図１０に示す直交座標系に関してプリントカートリッジ１１を常に正確に位置決めする。
Ｘ軸はキャリッジ走査軸と平行である
Ｙ軸は、
プリンタ１１４から水平方向に突出する紙前進経路と、平行でかつ反対向きであり
Ｚ軸は、ＸＹ平面と直交して垂直に延びている
　ウ　[0027] Referring now to FIGS. 2-4, the print cartridge 11 more particularly includes a print cartridge body comprised of a rear wall 24, a left side wall 25, a right side wall 26, a front wall 27, and a bottom wall 28 that includes a snout section 28a that supports an ink jet printhead 15. A top wall or lid 31 is attached to the upper edges of the front, side, and rear walls, and includes margins or lips 29 that extend beyond the front and side walls. A latch catch or feature 50 is disposed on the lid 31 close to the top boundary of the rear wall 24. The latch feature 50 extends upwardly from the top wall 31 and includes a front latch surface 50a and a rearwardly extending surface 50c that intersects the top of the front latch surface 50 at an edge surface 50b. By way of illustrative example, the front latch surface 50a is perpendicular to the lid 31 while the rearwardly extending surface 50c is a ramped surface that extends downwardly and rearwardly from the top of the front latch surface 50a. Alternatively, the rearwardly extending surface of the latch feature can comprise a horizontal surface 50c' as illustrated in FIG. 3. As described further herein, a latch pushes on a top portion of the latch feature 50. Depending upon implementation that top portion is the edge surface 50b or the horizontal surface 50c'. 
（次に図２〜図４を参照して、
プリントカートリッジ１１は
後壁の上縁には、頂壁すなわちふた３１が取り付けられており
ふた３１上の、後壁２４の頂部境界近くには、ラッチ留め具すなわちラッチ機構５０が配置されている
ラッチ機構５０は、頂壁３１から上向きに延びており、前部ラッチ表面５０ａと、後ろ向きに延びる表面５０ｃとを含む。後方に延びる表面５０ｃは、縁表面５０ｂにおいて、前部ラッチ表面５０の頂部と交わっている
前部ラッチ表面５０ａはふた３１と垂直であり、後方に延びる表面５０ｃは、前部ラッチ表面５０ａの頂部から下向きおよび後ろ向きに延びるような傾斜した表面である
　エ　[0028] Located in the vicinity of the intersection of the left side wall 25, rear wall 24 and snout 28a are a printhead cartridge X axis datum PX1, a first printhead cartridge Y axis datum PY1, and a first printhead cartridge Z axis datum PZ1. Located in the vicinity of the intersection of the right side wall 26, rear wall 24 and snout 28a are a second printhead cartridge Y axis datum PY2 and a second printhead cartridge Z axis datum PZ2. A third printhead cartridge Y axis datum PY3 is located in the upper portion of the rear wall 24. The print cartridge Y axis datums generally comprise lands that are configured to be generally orthogonal to the Y axis when the cartridge is installed in the print carriage 40. The print cartridge Z axis datums comprise lands that are configured to be generally orthogonal to the Z axis when the print cartridge is installed in the print carriage 119. The print cartridge X axis datum comprises a land that is configured to be generally orthogonal to the X axis when the print cartridge is installed in the print carriage 119. As described further herein, the datums of the cartridge engage corresponding datums in the carriage. 
（
左側壁２５、後壁２４、および鼻２８ａの交わるところの近傍には、プリントヘッドカートリッジＸ軸基準ＰＸ１、第１のプリントヘッドカートリッジＹ軸基準ＰＹ１、および第１のプリントヘッドカートリッジＺ軸基準ＰＺ１が配置されている
右側壁２６、後壁２４、および鼻２８ａの交わるところの近傍には、第２のプリントヘッドカートリッジＹ軸基準ＰＹ２および第２のプリントヘッドカートリッジＺ軸基準ＰＺ２が配置されている。後壁２４の上部には、第３のプリントヘッドカートリッジＹ軸基準ＰＹ３が配置されている。
取り付けるとＺ軸と略直交するよう構成された平板部を備える。プリントカートリッジＸ軸基準は、プリントカートリッジをプリントキャリッジ１１９に取り付けるとＸ軸と略直交するよう構成された平板部を備える。本明細書においてさらに説明するように、カートリッジの基準は、キャリッジにおける対応する基準と係合する。）
　オ　[0029] Disposed on the rear wall 24 and on the snout section 28a of the bottom wall 28 is a flexible circuit 33 that wraps around the intersection of such walls and provides electrical interconnection between the printer and the printhead 15. 
（
後壁２４上および底壁２８の鼻部２８ａ上には、そのような壁の交わるところに巻き付いて、プリンタとプリントヘッド１５との間の電気的相互接続を行う、フレキシブル回路３３が配置されている
　カ　[0030] FIG. 5 is a schematic depiction of an implementation of the flexible circuit 33 which includes an array 70 of contact areas 71 that are contactively engageable from the near side of the flexible circuit 33 which is the side that is away from the cartridge body. The side of the flexible circuit 33 that is against the cartridge body is called the far side. The contact areas 71 are disposed on a portion of the flexible circuit 33 that is located on the rear wall 24, and comprise electrically conductive areas that are contactively engageable with corresponding contact bumps 139 on a resilient contact circuit 137 (FIG. 13) located in the print carriage 119 (FIG. 1). By way of illustrative example, the flexible circuit is formed of a flexible substrate such as polyimide having a conductive pattern formed on the far side thereof and openings formed in the substrate so that portions of the conductive pattern can be contacted from the near side of the flexible circuit. In such implementation, the contact areas 71 comprise conductive areas exposed by openings in the flexible substrate. The contact areas 71 can be circular, octagonal, square, square with rounded or beveled corners, or some other shape. 
（図５は、フレキシブル回路３３の実施態様の概略図である。フレキシブル回路３３は、カートリッジ本体からは遠い側である、フレキシブル回路３３の手前側から、接触して係合可能な、接点部７１のアレイ(配列）７０を含む。フレキシブル回路３３の、カートリッジ本体に当接する側は、遠方側と呼ぶ。
接点部７１は、フレキシブル回路３３の、後壁２４上に位置する部分に配置されており
プリントキャリッジ１１９（図１）内に配置された弾性を有する接触回路１３７（図１３）上の、対応する接触突起１３９と接触するように係合可能な、導電領域を備える。
フレキシブル回路は
ポリイミド等のフレキシブル基板で形成されており
　キ　[0032] The outermost transversely separated columnar arrays are also identified with the reference designation 73' for ease of reference. Such outermost transversely separated columnar arrays 73' can have fewer contact areas 71 than the columnar arrays 73 between such outermost transversely separated columnar arrays. By way of illustrative example, each outermost columnar array 73' includes five contact areas 71, and each of the other columnar arrays 73 includes at least six contact areas 71. By way of specific example, as shown in FIG. 5, a columnar array 73 adjacent one outermost columnar array 73' includes six contact areas while each of the other columnar arrays 73 between the outermost arrays 73' includes seven contact areas. Additionally, the outermost transversely separated columnar arrays 73' can have more contact areas 71 than the columnar arrays 73 between such outermost transversely separated columnar arrays. Also, the outermost transversely separated columnar arrays 73' can have the same number of contact areas 71 as the columnar arrays 73 between such outermost transversely separated columnar arrays. 
（最も外側の横方向に離れた列状アレイもまた、参照しやすくするために参照表示７３’で識別される。そのような最も外側の横方向に離れた列状アレイ７３’は、そのような最も外側の横方向に離れた列状アレイ同士の間にある列状アレイ７３よりも、有する接点部７１が少なくてもよい。実例として、
最も外側の列状アレイ７３’はそれぞれ、５つの接点部７１を含み
最も外側の列状アレイ７３’の１つに隣接する列状アレイ７３は、６つの接点部を含み、最も外側のアレイ７３’同士の間にある残りの列状アレイ７３はそれぞれ、７つの接点部を含む
最も外側の横方向に離れた列状アレイ７３’は、そのような最も外側の横方向に離れた列状アレイ同士の間にある列状アレイ７３よりも多い接点部７１を有していてもよい。
　ク　[0035] Depending upon implementation, some or all of the contact areas 71, 71' are electrically connected to the printhead by conductive traces generally indicated by the reference designation 77. The conductive traces are preferably disposed on the far side of the flexible circuit 33, which is the side against the cartridge body, and lead to bond pads 74 on the printhead 15 (FIG. 4). 
（実施態様によっては、
接点部７１、７１’のうちのいくつかまたはすべては、全体として参照表示７７で示す導電トレースによって、プリントヘッドに電気接続されている。
　ケ　[0061] In use, the cartridge 11 is inserted generally horizontally into the chute 131. The guide channels 140 control the elevation and the pitch about the X axis of the cartridge 11 as it is inserted into the chute 131, such that print cartridge datums PY1, PY2 move over the corresponding carriage datums CY1, CY2. The latch arm 151 is then pivoted downwardly which causes the sliding clamp land 177 and the pivoting clamp land 167 to eventually engage the front latch surface 50a and top portion (50b, 50c') of the latch feature 50 on the top of the cartridge. Continued displacement of the latch arm 151 causes the sliding clamp 173 to resiliently push on the latch feature generally along the Y axis, and further causes the pivoting clamp 159 to push on the latch feature generally along the Z axis. The push generally along the Y axis is independent of the push generally along the Z axis. The push along the Z axis causes the print cartridge datums PZ1, PZ2 to snugly seat against the carriage datums CZ1, CZ2. The push along the Y axis causes the print cartridge to pivot about the X axis so that the print cartridge datum PY3 snugly seats against the carriage datum CY3. The resilient contact circuit 137 is located so as to cause the print cartridge datums PY1, PY2 to seat snugly against the carriage datum CY1, CY2 when the print cartridge datums PZ1, PZ2 are engaged with the carriage datums CZ1, CZ2, and the print cartridge datum PY3 is engaged with the carriage datum CY3. 
（使用において、
カートリッジ１１が略水平に収容部１３１に挿入され
最終的に摺動クランプランド部１７７と枢転クランプランド部１６７とが、カートリッジの上にあるラッチ機構５０の前部ラッチ表面５０ａおよび頂部（５０ｂ、５０ｃ’）に係合する
摺動クランプ１７３が、略Ｙ軸に沿ってラッチ機構を弾性的に押し
さらに、枢転クランプ１５９が、略Ｚ軸に沿ってラッチ機構を押す。
Ｚ軸に沿って押すことによって、プリントカートリッジ基準ＰＺ１、ＰＺ２がキャリッジ基準ＣＺ１、ＣＺ２に当たった状態でぴったりとはまる
Ｙ軸に沿って押すことによって、プリントカートリッジがＸ軸を中心として枢転し、プリントカートリッジ基準ＰＹ３がキャリッジ基準ＣＹ３に当たった状態でぴったりとはまるようになっている。プリントカートリッジ基準ＰＺ１、ＰＺ２がキャリッジ基準ＣＺ１、ＣＺ２に係合しプリントカートリッジ基準ＰＹ３がキャリッジ基準ＣＹ３に係合すると、プリントカートリッジ基準ＰＹ１、ＰＹ２がキャリッジ基準ＣＹ１、ＣＹ２に当たった状態でぴったりとはまるよう、弾性を有する接触回路１３７が配置されている
　コ　CLAIMS
・・・
1. 　A fluid drop ejecting cartridge comprising:
　a cartridge body (11)having a lower portion (28)and a vertical wall(24); 
　a fluid drop ejecting device(15) attached to said lower portion; 
　said fluid drop ejecting device including a first outboard array(61) of drop generators(40) organized in a first set of primitive groups, a second outboard array(61) of drop generators(40) organized in a second set of primitive groups and an inboard array(61) of drop generators(40) organized in a third set of primitive groups and a fourth set of primitive groups; 
　a contact array(70) disposed on said vertical wall including a first outboard pair(75a) of columnar arrays(73,73') of contact areas(71,71') having contact areas electrically connected to said first set of primitive groups, a second outboard pair(75c) of columnar arrays(73,73') of contact areas(71,71') having contact areas electrically connected to said second set of primitive groups and said third set of primitive groups, and an inboard pair(75b) of columnar arrays(73) of contact areas(71,71') having contact areas electrically connected to said fourth set of primitive groups; 
　said pairs of columnar arrays of contact areas being side by side. 
2. 　The fluid drop ejecting cartridge of claim 1 wherein:
　the columnar arrays of each pair diverge from each other in a direction toward said bottom portion; and 
　each pair spans at least 70% of a height of a region occupied by said contact array. 
・・・
7.　The fluid drop ejecting cartridge of claims 1,2,3,4 or 5 wherein: 
　 each of said columnar arrays includes a lower contact area disposed along a lower portion of said region; and
　lower contact areas located between transversely outermost lower contact areas are further from said lower portion than said transversely outermost lower contact areas.
（請求の範囲
・・・
　1.　
底部（２８）と垂直壁（２４）とを有するカートリッジ本体（１１）と
　
前記底部に取り付けられた流体滴噴射装置（１５）であって
滴生成器（４０）の基本単位群の第１のセットとして構成された、滴生成器（４０）の第１の外側寄りのアレイ（６１）と、基本単位群の第２のセットとして構成された、滴生成器（４０）の第２の外側寄りのアレイ（６１）と、基本単位群の第３のセットおよび基本単位群の第４のセットとして構成された、滴生成器（４０）の中央寄りのアレイ（６１）とを含む流体滴噴射装置（１５）と
　
前記垂直壁上に配置された接点アレイ（７０）であって、前記基本単位群の第１のセットに電気接続された接点部を有するような、接点部（７１、７１’）の列状アレイ（７３、７３’）の第１の外側寄りの対（７５ａ）と、前記基本単位群の第２のセットおよび前記基本単位群の第３のセットに電気接続された接点部を有するような、接点部（７１、７１’）の列状アレイ（７３、７３’）の第２の外側寄りの対（７５ｃ）と、前記基本単位群の第４のセットに電気接続された接点部を有するような、接点部（７１、７１’）の列状アレイ（７３）の中央寄りの対（７５ｂ）とを含む、接点アレイ（７０）と、を備え
　
接点部の列状アレイの前記対は並列に配置される
流体滴噴射カートリッジ
　2.　それぞれの対における列状アレイ同士は、前記底部に向かうにつれて互いから遠ざかり、
　
それぞれの対は、前記接点アレイが占める範囲の高さの少なくとも７０％に及ぶ
・・・
　7.　前記列状アレイはそれぞれ、前記範囲の底部に沿って配置された底部接点部を含み、
　
最も横方向外側の底部接点部同士の間に配置された底部接点部は、前記最も横方向外側の底部接点部よりも、前記底部からの距離が大きい
　サ　図５から、最も外側の列状アレイ７３’はそれぞれ、５つの接点部７１を含み、右から２番目の列状アレイ７３は、６つの接点部７１を含み、残りの列状アレイ７３はそれぞれ、７つの接点部を含むことが看取でき、また、左から３番目の列状アレイ７３は、上部から下部に向かうに従って電導トレース７７の本数が増え、それに従って接点部７１が左側にシフトしていることが看取できる。
　
　上記記載及び図面を含む刊行物１全体の記載から、刊行物１には、以下の発明が記載されていると認められる。
「底部（２８）と垂直壁（２４）とを有するカートリッジ本体（１１）と、
　前記底部に取り付けられた流体滴噴射装置（１５）であって、
滴生成器（４０）の基本単位群の第１のセットとして構成された、滴生成器（４０）の第１の外側寄りのアレイ（６１）と、基本単位群の第２のセットとして構成された、滴生成器（４０）の第２の外側寄りのアレイ（６１）と、基本単位群の第３のセットおよび基本単位群の第４のセットとして構成された、滴生成器（４０）の中央寄りのアレイ（６１）とを含む流体滴噴射装置（１５）と、
　前記垂直壁上に配置された接点アレイ（７０）であって、前記基本単位群の第１のセットに電気接続された接点部を有するような、接点部（７１、７１’）の列状アレイ（７３、７３’）の第１の外側寄りの対（７５ａ）と、前記基本単位群の第２のセットおよび前記基本単位群の第３のセットに電気接続された接点部を有するような、接点部（７１、７１’）の列状アレイ（７３、７３’）の第２の外側寄りの対（７５ｃ）と、前記基本単位群の第４のセットに電気接続された接点部を有するような、接点部（７１、７１’）の列状アレイ（７３）の中央寄りの対（７５ｂ）とを含む、接点アレイ（７０）と、を備え、
　接点部の列状アレイの前記対は並列に配置され、
　それぞれの対は、前記接点アレイが占める範囲の高さの少なくとも７０％に及び、
　最も横方向外側の底部接点部同士の間に配置された底部接点部は、前記最も横方向外側の底部接点部よりも、前記底部からの距離が大きく、
　プリントカートリッジ１１は、後壁の上縁には、頂壁すなわちふた３１が取り付けられており、ふた３１上の、後壁２４の頂部境界近くには、ラッチ留め具すなわちラッチ機構５０が配置され、ラッチ機構５０は、頂壁３１から上向きに延びており、前部ラッチ表面５０ａと、後ろ向きに延びる表面５０ｃとを含み、後方に延びる表面５０ｃは、縁表面５０ｂにおいて、前部ラッチ表面５０の頂部と交わっており、前部ラッチ表面５０ａはふた３１と垂直であり、後方に延びる表面５０ｃは、前部ラッチ表面５０ａの頂部から下向きおよび後ろ向きに延びるような傾斜した表面となっており、
　キャリッジ走査軸と平行な方向をＸ軸とし、プリンタ１１４から水平方向に突出する紙前進経路と、平行でかつ反対向きをＹ軸とし、ＸＹ平面と直交して垂直に延びる方向をＺ軸とすると、
　プリントカートリッジ１１の左側壁２５、後壁２４、および鼻２８ａの交わるところの近傍には、プリントヘッドカートリッジＸ軸基準ＰＸ１、第１のプリントヘッドカートリッジＹ軸基準ＰＹ１、および第１のプリントヘッドカートリッジＺ軸基準ＰＺ１が配置され、右側壁２６、後壁２４、および鼻２８ａの交わるところの近傍には、第２のプリントヘッドカートリッジＹ軸基準ＰＹ２および第２のプリントヘッドカートリッジＺ軸基準ＰＺ２が配置され、後壁２４の上部には、第３のプリントヘッドカートリッジＹ軸基準ＰＹ３が配置され、
　後壁２４上および底壁２８上には、そのような壁の交わるところに巻き付いて、プリンタとプリントヘッド１５との間の電気的相互接続を行う、フレキシブル回路３３が配置され、
　接点部７１は、フレキシブル回路３３の、後壁２４上に位置する部分に配置されており、プリントキャリッジ１１９内に配置された弾性を有する接触回路１３７上の、対応する接触突起１３９と接触するように係合可能な、導電領域を備え、
　フレキシブル回路は、ポリイミド等のフレキシブル基板で形成されており、
　最も外側の列状アレイ７３’はそれぞれ、５つの接点部７１を含み、右から２番目の列状アレイ７３は、６つの接点部７１を含み、残りの列状アレイ７３はそれぞれ、７つの接点部を含み、
　接点部７１、７１’のうちのいくつかまたはすべては、導電トレース７７によって、プリントヘッドに電気接続される流体滴噴射カートリッジと、
　カートリッジ１１が略水平に挿入される収容部１３１を有するプリンタ本体からなるプリンタ装置であって、
　カートリッジ１１が略水平に収容部１３１に挿入されると、最終的に摺動クランプランド部１７７と枢転クランプランド部１６７とが、カートリッジの上にあるラッチ機構５０の前部ラッチ表面５０ａおよび頂部（５０ｂ、５０ｃ’）に係合し、摺動クランプ１７３が、略Ｙ軸に沿ってラッチ機構を弾性的に押し、さらに、枢転クランプ１５９が、略Ｚ軸に沿ってラッチ機構を押し、Ｚ軸に沿って押すことによって、プリントカートリッジ基準ＰＺ１、ＰＺ２がキャリッジ基準ＣＺ１、ＣＺ２に当たった状態でぴったりとはまり、Ｙ軸に沿って押すことによって、プリントカートリッジがＸ軸を中心として枢転し、プリントカートリッジ基準ＰＹ３がキャリッジ基準ＣＹ３に当たった状態でぴったりとはまるようになっており、プリントカートリッジ基準ＰＺ１、ＰＺ２がキャリッジ基準ＣＺ１、ＣＺ２に係合しプリントカートリッジ基準ＰＹ３がキャリッジ基準ＣＹ３に係合すると、プリントカートリッジ基準ＰＹ１、ＰＹ２がキャリッジ基準ＣＹ１、ＣＹ２に当たった状態でぴったりとはまるよう、弾性を有する接触回路１３７が配置されている
インクジェットプリンタ１１４。」（以下「引用発明」という。）
　
４　対比
　ａ　本願発明と引用発明とを比較すると、引用発明の「底部（２８）」、「垂直壁（２４）」、「カートリッジ本体（１１）」、「流体滴噴射装置（１５）」、「接点部（７１、７１’）」、「列状アレイ（７３、７３’）」、「対」、「接点アレイ（７０）」、「収容部１３１」、「カートリッジ１１が略水平に収容部１３１に挿入され」、「接触回路１３７」、「接触突起１３９」及び「インクジェットプリンタ１１４」は、それぞれ本願発明の「下部」、「垂直壁」、「カートリッジ本体」、「プリントヘッド」、「接触領域」、「列アレイ」、「対」、「接触アレイ」、「シュート」、「前記カートリッジ本体は、前記シュート内に水平に挿入され」「接触回路」、「接触バンプ」及び「インクジェット印刷システム」に相当する。
　ｂ　引用発明の「前記垂直壁上に配置された接点アレイ（７０）であって、前記基本単位群の第１のセットに電気接続された接点部を有するような、接点部（７１、７１’）の列状アレイ（７３、７３’）の第１の外側寄りの対（７５ａ）と、前記基本単位群の第２のセットおよび前記基本単位群の第３のセットに電気接続された接点部を有するような、接点部（７１、７１’）の列状アレイ（７３、７３’）の第２の外側寄りの対（７５ｃ）と、前記基本単位群の第４のセットに電気接続された接点部を有するような、接点部（７１、７１’）の列状アレイ（７３）の中央寄りの対（７５ｂ）とを含む、接点アレイ（７０）と、を備え、接点部の列状アレイの前記対は並列に配置され、それぞれの対は、前記接点アレイが占める範囲の高さの少なくとも７０％に及び」と、本願発明の「前記垂直壁上に配置され、複数の電気接続点の接触領域が列をなすように配置されて成る第１の列アレイの対と複数の前記接触領域が列をなすように配置されて成る第２の列アレイの対とを有する接触アレイであって、前記各対の列アレイは、前記接触アレイが占める領域の高さの少なくとも半分に沿って延びる接触アレイ」とは、「前記垂直壁上に配置され、複数の電気接続点の接触領域が列をなすように配置されて成る列アレイの対を有する接触アレイであって、前記各対の列アレイは、前記接触アレイが占める領域の高さの少なくとも半分に沿って延びる接触アレイ」の点で共通する。
　ｃ　引用発明は「プリントカートリッジ１１は、後壁の上縁には、頂壁すなわちふた３１が取り付けられており、ふた３１上の、後壁２４の頂部境界近くには、ラッチ留め具すなわちラッチ機構５０が配置され、ラッチ機構５０は、頂壁３１から上向きに延びており、前部ラッチ表面５０ａと、後ろ向きに延びる表面５０ｃとを含み、後方に延びる表面５０ｃは、縁表面５０ｂにおいて、前部ラッチ表面５０の頂部と交わっており、前部ラッチ表面５０ａはふた３１と垂直であり、後方に延びる表面５０ｃは、前部ラッチ表面５０ａの頂部から下向きおよび後ろ向きに延びるような傾斜した表面となっており、キャリッジ走査軸と平行な方向をＸ軸とし、プリンタ１１４から水平方向に突出する紙前進経路と、平行でかつ反対向きをＹ軸とし、ＸＹ平面と直交して垂直に延びる方向をＺ軸とすると、プリントカートリッジ１１の左側壁２５、後壁２４、および鼻２８ａの交わるところの近傍には、プリントヘッドカートリッジＸ軸基準ＰＸ１、第１のプリントヘッドカートリッジＹ軸基準ＰＹ１、および第１のプリントヘッドカートリッジＺ軸基準ＰＺ１が配置され、右側壁２６、後壁２４、および鼻２８ａの交わるところの近傍には、第２のプリントヘッドカートリッジＹ軸基準ＰＹ２および第２のプリントヘッドカートリッジＺ軸基準ＰＺ２が配置され、後壁２４の上部には、第３のプリントヘッドカートリッジＹ軸基準ＰＹ３が配置され」、「カートリッジ１１が略水平に収容部１３１に挿入されると、最終的に摺動クランプランド部１７７と枢転クランプランド部１６７とが、カートリッジの上にあるラッチ機構５０の前部ラッチ表面５０ａおよび頂部（５０ｂ、５０ｃ’）に係合し、摺動クランプ１７３が、略Ｙ軸に沿ってラッチ機構を弾性的に押し、さらに、枢転クランプ１５９が、略Ｚ軸に沿ってラッチ機構を押し、Ｚ軸に沿って押すことによって、プリントカートリッジ基準ＰＺ１、ＰＺ２がキャリッジ基準ＣＺ１、ＣＺ２に当たった状態でぴったりとはまり、Ｙ軸に沿って押すことによって、プリントカートリッジがＸ軸を中心として枢転し、プリントカートリッジ基準ＰＹ３がキャリッジ基準ＣＹ３に当たった状態でぴったりとはまるようになっており、プリントカートリッジ基準ＰＺ１、ＰＺ２がキャリッジ基準ＣＺ１、ＣＺ２に係合しプリントカートリッジ基準ＰＹ３がキャリッジ基準ＣＹ３に係合すると、プリントカートリッジ基準ＰＹ１、ＰＹ２がキャリッジ基準ＣＹ１、ＣＹ２に当たった状態でぴったりとはまる」ものであるから、カートリッジ本体はシュート内で、下部及び垂直壁の交線と同じ方向に延びて前記下部に配置される軸を中心として回転されて位置決めされ、接触アレイと前記シュート内の接触回路の接触バンプとの接触は、前記接触アレイの前記下部から行われ、前記接触アレイの上方に進んでいくものといえる。
　ｄ　上記ａないしｃから、本願発明と引用発明は、
「下部及び前記下部から垂直に延びる垂直壁を有するカートリッジ本体と、
　前記下部に取り付けられるプリントヘッドと、
　前記垂直壁上に配置され、複数の電気接続点の接触領域が列をなすように配置されて成る列アレイの対を有する接触アレイであって、前記各対の列アレイは、前記接触アレイが占める領域の高さの少なくとも半分に沿って延びる接触アレイと、
　前記カートリッジ本体を受けて保持するシュートとを備え、
　前記カートリッジ本体は、前記シュート内に水平に挿入され、
　前記カートリッジ本体は前記シュート内で、前記下部及び前記垂直壁の交線と同じ方向に延びて前記下部に配置される軸を中心として回転されて位置決めされ、
　前記接触アレイと前記シュート内の接触回路の接触バンプとの接触は、前記接触アレイの前記下部から行われ、前記接触アレイの上方に進んでいくインクジェット印刷システム。」
の点で一致し、以下の点で相違している。
［相違点１］接触アレイに関し、本願発明は「複数の電気接続点の接触領域が列をなすように配置されて成る第１の列アレイの対と複数の前記接触領域が列をなすように配置されて成る第２の列アレイの対とを有する」と特定されているのに対し、引用発明は「接点部（７１、７１’）の列状アレイ（７３、７３’）の第１の外側寄りの対（７５ａ）」と、「接点部（７１、７１’）の列状アレイ（７３、７３’）の第２の外側寄りの対（７５ｃ）」と「接点部（７１、７１’）の列状アレイ（７３）の中央寄りの対（７５ｂ）」とを含んでいる点。
［相違点２］接触領域の配置に関し、本願発明は「前記第１の列アレイの対の外側の列アレイと前記第２の列アレイの対の外側の列アレイとの間の幅が前記下部に向かう方向で狭まるように、前記各対の列アレイは、前記下部に向かう方向で互いに向けて接近し、前記各対の前記接触領域は、前記接触アレイの上部よりも、前記下部で少なくなるように位置決めされ」と特定されているのに対し、引用発明は、本願発明のようなものでない点。
　
５　判断
　上記相違点１について検討する。
　引用発明は、「接点部（７１、７１’）の列状アレイ（７３、７３’）の第１の外側寄りの対（７５ａ）」と、「接点部（７１、７１’）の列状アレイ（７３、７３’）の第２の外側寄りの対（７５ｃ）」と「接点部（７１、７１’）の列状アレイ（７３）の中央寄りの対（７５ｂ）」とを含んでおり、即ち、３組の列アレイの対を有しているが、制御すべきノズル数や垂直壁上に配置されるフレキシブル回路のフレキシブル基板の幅や高さ等に応じ、列アレイの対を何組にするかは設計事項にすぎず、また、列アレイの対を２組にすることは、本願の優先権主張日前に周知技術（特開平６−３２０７５０号公報、段落【００４７】、【図１１】、特開平６−３２０７２０号公報、段落【００２０】、【図１】、【図２】）でもあるから、引用発明において、列アレイの対を２組とし、本願発明の上記相違点１に係る構成となすことは、当業者が容易になし得る程度のことである。
　
　上記相違点２について検討する。
　本願発明の「前記各対の前記接触領域は、前記接触アレイの上部よりも、前記下部で少なくなるように位置決め」が具体的にどのような配置を意味しているか曖昧であるが、本願明細書には、以下の記載がある。
「【００２１】
  接触領域７１は、より具体的には、接触領域７１に隣接し、接触領域７１の横に分離された複数の列アレイ７３に配置される。各列アレイ７３は、プリントカートリッジ２２の底壁２８に最も近い下部接触領域７１’を備える。説明のための例として、列アレイ７３のうちの１つ又は複数はほぼ非線形である。列アレイ７３内の接触領域７１のほぼ非線形配置により、スペースが限られている中で、導電トレース７７を通すために必要なスペースを設けるように接触領域７１を位置決めすることができる。列アレイ７３は、列アレイ７３の並んだ対又は群７５ａ、７５ｂに配置される。図５に示すように、接触領域７１の４つの列アレイ７３を有するように、列アレイ７３の２つの対７５ａ、７５ｂがある。各対７５ａ、７５ｂの列アレイ７３は、カートリッジ２２の底壁２８に向かう方向で互いに向けて集束するように配置される。
【００２２】
  接触アレイ７０は、列アレイ７３にほぼ直交する接触領域７１の水平行７６をさらに備える。行７６は、接触アレイ７０の上部に隣接して位置決めされる。水平行７６は接触アレイ７０内のスペースを有効利用し、それによって必要な列アレイ７３の数を少なくするとともに、アレイ７０をさらに狭くすることができる。ここで示されるものとは異なる他のアレイ形状及びレイアウトが本実施形態において利用されることも可能である。
【００２３】
  ７３’で示す最も外側の横に分離された列アレイは、このような最も外側の横に分離された列アレイ７３’間の列アレイ７３よりも多くの接触領域７１を有することができる。例として、
最も外側の各列アレイ７３’は、少なくとも７つの接触領域７１を含む
その他の各列アレイ７３は少なくとも６つの接触領域７１を有する
　
　上記本願の明細書及び【図５】によると、本願発明の「前記各対の前記接触領域は、前記接触アレイの上部よりも、前記下部で少なくなるように位置決め」には、「各列アレイの対の内、外側の列アレイの接触領域の数を内側の列アレイの接触領域の数より多くし、各列アレイの対の上部付近では、４つずつの接触領域を配置し、各列アレイの対の底部付近では２つの接触領域となるように配置する」ことが包含されるものと認められる。
　引用発明は「最も横方向外側の底部接点部同士の間に配置された底部接点部は、前記最も横方向外側の底部接点部よりも、前記底部からの距離が大き」い、即ち、外側の列アレイの底部側接触領域が突出して配置されており、刊行物１のキに「最も外側の横方向に離れた列状アレイ７３’は、そのような最も外側の横方向に離れた列状アレイ同士の間にある列状アレイ７３よりも多い接点部７１を有していてもよい」と記載されており、各列アレイの対の接触領域の数や配置形態をどのようにするかは設計事項にすぎず、また、外側の列アレイの接触領域の数が多くなるように列アレイの接触領域の数を不揃いとし、複数の列アレイの上部付近では、多くの接触領域を配置し、複数の列アレイの下部付近では、少しの接触領域を配置することは、本願の優先権主張日前に周知技術（原査定で引用された特開２００３−２６６７２０号公報、【図２】、原査定で引用された特開２００１−２０５８２０号公報、【図１】）でもあるから、上記相違点１で検討したように列アレイの対を２組にする際に、各列アレイの対の内、外側の列アレイの接触領域の数を内側の列アレイの接触領域の数より多くし、各列アレイの対の上部付近では、４つずつの接触領域を配置し、各列アレイの対の底部付近では２つの接触領域となるように配置することは、当業者が容易になし得る程度のことである。
　引用発明は、「接点部７１、７１’のうちのいくつかまたはすべては、導電トレース７７によって、プリントヘッドに電気接続される」ものであるところ、接点部７１、７１’（接触領域）と導電トレース７７の配置をどのようにするかは設計事項にすぎず、また、上部から下部に向かうに従って電導トレースの本数が増え、それに従って接点部をシフトさせることは、刊行物１の【図５】から看取でき、特開平７−２５１５０８号公報の【図６】にも記載されているように、本願の優先権主張日前に周知技術でもあるから、上記相違点１で検討したように列アレイの対を２組にする際に、導電トレース７７を各列アレイの対の外側に配置し、上部から下部に向かうに従って本数が増える電導トレース７７に従って接点部７１を内側にシフトさせ、第１の列アレイの対の外側の列アレイと第２の列アレイの対の外側の列アレイとの間の幅が下部に向かう方向で狭まるように、各対の列アレイは、下部に向かう方向で互いに向けて接近するように配置することは、当業者が容易になし得る程度のことである。
　したがって、本願発明の上記相違点２に係る構成となすことは、当業者が容易になし得る程度のことである。
　
　以上のとおりであるから、本願発明の相違点に係る構成は、刊行物１に記載された発明に基づいて当業者が容易に想到することができたものであり、それにより得られる効果も当業者が予測できる範囲のものである。
　
６　むすび
　以上のとおり、本願発明は、刊行物１に記載された発明に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。